(57)【要約】【課題】ＩＰ網などにおけるプレゼンスサービスを提供できるようにするため、ユーザ端末がグループを形成しネットワークが階層化された場合でも、プレゼンス管理装置は、アクセス認証を行わない端末に対してもプレゼンス情報を取得できるようにすることを目的とする。【解決手段】グループを代表する親端末がアクセス認証することで得られるプレゼンス情報を、グループを形成するユーザ端末との帰属関係情報に基づいて、前記ユーザ端末のプレゼンス情報とすることで、各ユーザ端末のプレゼンス情報を取得し、プレゼンスサービスを提供する。【選択図】  図３
2004246796.tif 000002
【特許請求の範囲】
【請求項１】
少なくともひとり以上のユーザで構成されるグループを代表するユーザの親端末と前記親端末に帰属する子端末とで構成される階層化ネットワークにおいて、前記親端末と収容装置を介してネットワークに接続され、前記ユーザ及び前記ユーザの端末の状態を示すプレゼンス情報を管理するプレゼンス情報管理装置であって、
前記ユーザのユーザ識別子と前記収容装置に関する収容装置情報と前記親端末との帰属関係を示す帰属関係情報とを入力する入力手段と、前記収容装置情報から前記親端末のプレゼンス情報に変換するプレゼンス情報変換手段と、前記帰属関係情報に基づいて前記親端末への帰属関係を判定する帰属関係判定手段と、前記子端末に前記親端末のプレゼンス情報を設定し管理するプレゼンス管理手段とを備え、グループを構成する各ユーザの端末のプレゼンス情報を取得することを特徴とする階層化ネットワークのプレゼンス情報管理装置。
【請求項２】
前記グループを代表する親端末が前記収容装置に対してアクセス認証することで得られるプレゼンス情報を、前記帰属関係情報に基づいて、前記グループに帰属する子端末のプレゼンス情報とすることを特徴とする請求項１に記載の階層化ネットワークのプレゼンス情報管理装置。
【請求項３】
少なくともひとり以上のユーザで構成されるグループを代表するユーザの親端末と前記親端末に帰属する子端末とで構成される階層化ネットワークにおいて、前記親端末と収容装置を介してネットワークに接続され、前記ユーザの端末の帰属関係情報を管理する帰属関係管理装置であって、
前記グループを代表する親端末の論理位置情報と帰属する子端末の論理位置情報とを帰属関係情報として備えたことを特徴とする階層化ネットワークの帰属関係管理装置。
【請求項４】
少なくともひとり以上のユーザで構成されるグループを代表するユーザの親端末と前記親端末に帰属する子端末とで構成される階層化ネットワークにおいて、前記親端末と収容装置を介してネットワークに接続され、前記ユーザ及び前記ユーザの端末の状態を示すプレゼンス情報を管理するプレゼンス情報管理装置を用いて行うプレゼンス情報の管理方法であって、
前記ユーザのユーザ識別子と収容装置情報と前記親端末との帰属関係を示す帰属関係情報とを入力するステップと、前記収容装置情報から前記親端末のプレゼンス情報に変換するステップと、前記帰属関係情報に基づいて前記親端末への帰属関係を判定するステップと、前記子端末に前記親端末のプレゼンス情報を設定するステップとを含み、グループを構成する各ユーザの端末のプレゼンス情報を取得することを特徴とする階層化ネットワークのプレゼンス情報管理方法。
【請求項５】
階層化ネットワークのプレゼンス情報管理装置に用いられるプレゼンス情報管理プログラムであって、請求項１又は請求項２に記載の階層化ネットワークのプレゼンス情報管理装置を実現させることを特徴とする階層化ネットワークのプレゼンス情報管理プログラム。
【請求項６】
請求項５に記載の階層化ネットワークのプレゼンス情報管理プログラムを記録したことを特徴とするコンピュータ読み取り可能な記録媒体。
【発明の詳細な説明】
【０００１】
【発明の属する技術分野】
本発明は、ユーザがネットワークのサービスを利用する場合のグループ化されたユーザのプレゼンス情報を管理する階層化ネットワークのプレゼンス情報管理装置、帰属関係管理装置及びプレゼンス情報管理方法に関するものである。
【０００２】
【従来の技術】
ＩＰ（Ｉｎｔｅｒｎｅｔ  ｐｒｏｔｏｃｏｌ）端末によるインターネット通信の増加に伴い、ユーザの地理的位置などの情報を利用したプレゼンスサービスが注目されてきている。このユーザの地理的位置情報などをプレゼンス情報といい、ユーザや端末などの状態（例えばオンライン／オフライン、在席／離席など）を表す情報である。例えば各端末で使用するアクセス帯域情報、収容装置（アクセスポイント）の周辺情報、ユーザの契約者情報などもプレゼンス情報に相当する。このプレゼンスサービスを実現するための従来技術としては、次のものがある（例えば非特許文献１参照）。非特許文献１には、プレゼンスサービスとして、収容装置（アクセスポイント）ごとの混雑情報紹介サービス、各端末で使用するアクセス帯域情報に基づいて収容装置ごとの使用帯域の紹介サービス、アクセスポイント周辺の詳細な天気の状況を通知するサービス、契約者情報による性別や年齢などユーザの個人情報に基づいた嗜好分布サービス、などのサービスに関する情報が開示されている。例えば、収容装置ごとの混雑情報紹介サービスでは、この情報はプレゼンスサーバで収集し提供される。プレゼンスサーバは、認証サーバから、収容装置ごとの各端末の収容情報を取得し、収容装置のＩＰアドレスを地理的位置情報に変換しＨＴＴＰ（Ｈｙｐｅｒ  Ｔｅｘｔ  Ｔｒａｎｓｆｅｒ  Ｐｒｏｔｏｃｏｌ）などで混雑している収容装置を視覚的に表現する。
【０００３】
従来、これらプレゼンス情報は次のように取得されている。ユーザが、ユーザ端末から収容装置（アクセスポイント）へ接続する際、収容装置はユーザ端末との間でアクセス認証を行う。アクセス認証を行う際、収容装置はアクセス認証装置にユーザ識別子や認証情報に加え、ＮＡＳ−Ａｄｄｒｅｓｓ（Ｎｅｔｗｏｒｋ  Ａｃｃｅｓｓ  Ｓｅｒｖｅｒ−Ａｄｄｒｅｓｓ）やＮＡＳ−Ｔｙｐｅ（Ｎｅｔｗｏｒｋ  Ａｃｃｅｓｓ  Ｓｅｒｖｅｒ−Ｔｙｐｅ）などの収容装置情報を通知する。プレゼンス情報を管理するプレゼンス情報管理装置は、アクセス認証装置から収容装置情報を受け取り、この収容装置情報を地理的位置情報や帯域情報などのプレゼンス情報に変換してプレゼンス情報として使用している。
【０００４】
【非特許文献１】
吉岡弘高、他著「ネットワーク情報を用いた高機能なプレゼンスサービスについての一考察」情報通信学会講演会論文集、２００２年９月１１日
【０００５】
【発明が解決しようとする課題】
しかしながら、ユーザ端末がグループを構成して通信サービスを利用する場合、代表の端末が収容装置へのアクセス認証を実施しＩＰ  Ｒｅａｃｈａｂｌｅ（ＩＰパケットの到達）となると、グループに帰属する端末は個別に認証を行わなくとも通信サービスを利用することが可能である。このようにグループを構成する場合、従来方式のように、ユーザが収容装置に接続する際に実施されるアクセス認証時に得られる情報を変換して地理的位置情報や帯域情報などのプレゼンス情報を生成する場合においては、グループに帰属し、収容装置と直接アクセス認証を行わないユーザ端末に対してプレゼンス情報を取得できないという課題が生じる。その結果、アクセス認証をしないユーザは、プレゼンスサービスを受けられないという課題が生じる。
【０００６】
そこで、本発明は、ユーザ端末がグループを構成し、ネットワークが階層化された場合でも、アクセス認証を行わない端末に対してもプレゼンス情報を取得し、プレゼンスサービスを提供できるようにしてＩＰ網などにおけるプレゼンスサービスの向上を目的とする。
【０００７】
【課題を解決するための手段】
前記課題を解決するため、グループを構成したユーザ端末間の帰属関係を利用することにより、収容装置とのアクセス認証を実施しない端末に対しても収容装置を識別し、地理的位置情報や帯域情報などのプレゼンス情報を取得することを特徴とする。
【０００８】
階層化ネットワークのプレゼンス情報管理装置（請求項１）は、少なくともひとり以上のユーザで構成されるグループを代表するユーザの親端末と前記親端末に帰属する子端末とで構成される階層化ネットワークにおいて、前記親端末と収容装置を介してネットワークに接続され、前記ユーザ及び前記ユーザの端末の状態を示すプレゼンス情報を管理する装置である。プレゼンス情報管理装置は、前記ユーザのユーザ識別子と前記収容装置に関する収容装置情報と前記親端末との帰属関係を示す帰属関係情報とを入力する入力手段と、前記収容装置情報から前記親端末のプレゼンス情報に変換するプレゼンス情報変換手段と、前記帰属関係情報に基づいて前記親端末への帰属関係を判定する帰属関係判定手段と、前記子端末に前記親端末のプレゼンス情報を設定し管理するプレゼンス管理手段とを備えており、グループを構成する各ユーザの端末のプレゼンス情報を取得することを特徴とする。
【０００９】
階層化ネットワークのプレゼンス情報管理装置（請求項２）は、前記グループを代表する親端末が前記収容装置に対してアクセス認証することで得られるプレゼンス情報を、前記帰属関係情報に基づいて、前記グループに帰属する子端末のプレゼンス情報とすることを特徴とする。
【００１０】
階層化ネットワークの帰属関係管理装置（請求項３）は、少なくともひとり以上のユーザで構成されるグループを代表するユーザの親端末と前記親端末に帰属する子端末とで構成される階層化ネットワークにおいて、前記親端末と収容装置を介してネットワークに接続され、前記ユーザの端末の帰属関係情報を管理する装置であって、前記グループを代表する親端末の論理位置情報と帰属する子端末の論理位置情報とを帰属関係情報として備えている。
【００１１】
階層化ネットワークのプレゼンス情報管理方法（請求項４）は、少なくともひとり以上のユーザで構成されるグループを代表するユーザの親端末と前記親端末に帰属する子端末とで構成される階層化ネットワークにおいて、前記親端末と収容装置を介してネットワークに接続され、前記ユーザ及び前記ユーザの端末の状態を示すプレゼンス情報を管理するプレゼンス情報管理装置を用いて行うプレゼンス情報の管理方法である。このプレゼンス情報管理方法は、前記ユーザのユーザ識別子と収容装置情報と前記親端末との帰属関係を示す帰属関係情報とを入力するステップと、前記収容装置情報から前記親端末のプレゼンス情報に変換するステップと、前記帰属関係情報に基づいて前記親端末への帰属関係を判定するステップと、前記子端末に前記親端末のプレゼンス情報を設定するステップとを含み、グループを構成する各ユーザの端末のプレゼンス情報を取得することを特徴とする。
【００１２】
従って、これにより、ユーザ端末がグループを構成し、ネットワークが階層化された場合でも、アクセス認証を行わない端末に対してもプレゼンス情報を取得することができ、ＩＰ網などにおけるプレゼンスサービスを提供することができるようになる。
【００１３】
【発明の実施形態】
以下、本発明の実施形態について、図面を参照して詳細に説明する。
【００１４】
図１は、階層化ネットワークのプレゼンス管理システム１の構成を示した図である。階層化ネットワークでは、グループを形成するユーザの端末に親端末と子端末という関係ができ、例えば親端末のユーザが直接インターネットに接続し、子端末のユーザは、親端末を介してインターネットに接続する。グループを形成するユーザは、全てのユーザが公衆網に対してアクセス回線（例えば、携帯電話によるＩＳＰ（Ｉｎｔｅｒｎｅｔ  Ｓｅｒｖｉｃｅ  Ｐｒｏｖｉｄｅｒ）へのダイアルアップ）がなくてもインターネットを利用することができる。
【００１５】
プレゼンス管理システム１は、グループの親端末となるユーザＡのユーザ端末７Ａとユーザ端末７Ａに帰属するユーザＢのユーザ端末７Ｂとユーザ端末７Ａのアクセスメディア８Ａとユーザ端末７Ｂのアクセスメディア８Ｂとユーザ端末７Ａ，７Ｂをネットワーク９に収容する収容装置３（アクセスポイントなどとも言う）とユーザ端末７Ａ，７Ｂが収容装置３へアクセスする際にユーザ識別子やパスワードなどに基づいてアクセス認証を行うアクセス認証装置４とユーザ端末７Ａ，７Ｂなどのユーザ端末の帰属関係情報を管理する帰属関係管理装置５とユーザのプレゼンス情報の管理を行うプレゼンス情報管理装置２とプレゼンス情報を利用して様々なサービスを提供するアプリケーションサーバ６とで構成される。アクセスメディア８Ａ，８Ｂとしては、無線ＬＡＮなどが使用される。帰属関係管理装置５は、ユーザ端末７Ａ，７ＢなどのＩＰアドレスなどの論理位置情報を基に帰属関係情報の管理を行っている。
【００１６】
図２は、プレゼンス情報管理装置２の本実施形態に係るブロック構成を示した図である。プレゼンス情報管理装置２は、主に、プレゼンス情報変換手段２０と帰属関係判定手段２１とプレゼンス管理手段２２と入力手段２３とで構成されている。プレゼンス情報変換手段２０は、アクセス認証装置４から取得したユーザ識別子と収容装置情報とに基づいて、ユーザのプレゼンス情報を生成する機能を備えている。帰属関係判定手段２１は、帰属関係管理装置５から取得した帰属関係情報に基づいてユーザ端末７Ａ，７Ｂ間の帰属関係を判定する機能を備えている。プレゼンス管理手段２２は、プレゼンス情報変換手段２０と帰属関係判定手段２１とから取得した情報に基づいて、ユーザのプレゼンス情報を設定したり、アプリケーションサーバ６の要求に従ってユーザのプレゼンス情報を提供する機能を備えている。入力手段２３は、ユーザ識別子と収容装置情報と帰属関係を示す帰属関係情報とを入力する機能を備えている。
【００１７】
なお、これらプレゼンス情報管理装置２は、コンピュータを用いて、プレゼンス情報管理プログラムとしてコンピュータのプログラムで実現することができる。また、プレゼンス情報管理プログラムは、コンピュータ読み取り可能な記録媒体に記録することができる。
【００１８】
図３は、プレゼンス管理システム１の各装置間でのプレゼンス情報管理方法のフローを示した図である。適宜、図１及び図２を参照しながら説明する。
【００１９】
図３において、親端末となるユーザＡのユーザ端末７Ａは、収容装置３（アクセスポイント）にアクセスして（Ｓ１）アクセス認証が行われる（Ｓ２）。アクセス認証時に収容装置３からアクセス認証装置４に対して、ユーザ識別子と認証情報とＮＡＳ−Ａｄｄｒｅｓｓ（Ｎｅｔｗｏｒｋ  Ａｃｃｅｓｓ  Ｓｅｒｖｅｒ−Ａｄｄｒｅｓｓ）やＮＡＳ−Ｔｙｐｅ（Ｎｅｔｗｏｒｋ  Ａｃｃｅｓｓ  Ｓｅｒｖｅｒ−Ｔｙｐｅ）などの収容装置情報（アクセスポイント情報）が送信される（Ｓ２）。アクセス認証装置４は、送信されたユーザ識別子と収容装置情報をプレゼンス情報管理装置２に送信し（Ｓ３）、プレゼンス情報管理装置２は、入力手段２３（図２参照）を介してこれらの情報を入力する。プレゼンス情報管理装置２のプレゼンス情報変換手段２０（図２参照）は、送信された収容装置情報を地理的位置情報や帯域情報などのプレゼンス情報に変換する（Ｓ４）。これは、取得したアクセスポイントの名前などから当該アクセスポイントが存在する地理的な位置情報に変換することであり、予め用意した、アクセスポイントの名前と地理的位置情報とをマッピングしたテーブルなどに基づいて行われる。地理的位置情報や帯域情報などは、ユーザ識別子で示された親端末のプレゼンス情報として設定され（Ｓ５）、プレゼンス管理手段２２（図２参照）で管理される。
【００２０】
収容装置３に対してアクセス認証が完了したユーザ端末７Ａは、ＩＰ  ｒｅａｃｈａｂｌｉｔｙ（ＩＰプロトコルの到達）を確保するために、帰属関係管理装置５にＩＰアドレスなどの論理位置情報の登録を行う（Ｓ６）。ユーザＡが、ＩＰ  ｒｅａｃｈａｂｌｉｔｙを確保すると、ユーザＢは、ユーザＡのユーザ端末７Ａを介して、同様の手順で帰属関係管理装置５にユーザ端末７Ｂの論理位置情報の登録を行う（Ｓ８）。
【００２１】
帰属関係管理装置５は、登録された論理位置情報をプレゼンス情報管理装置２へ送信し（Ｓ７，Ｓ９）、プレゼンス情報管理装置２は、入力手段２３（図２参照）を介してこれらの情報を入力する。プレゼンス情報管理装置２の帰属関係判定手段２１（図２参照）は、論理位置情報から帰属関係を判定し（Ｓ１０）、ユーザＢのユーザ端末７Ｂの親端末情報としてユーザ端末７Ａを設定する（Ｓ１１）。アプリケーションサーバ６からユーザＢのプレゼンス情報が要求された時は、プレゼンス情報管理装置２は、親端末として設定されているユーザＡのプレゼンス情報を提供する。
【００２２】
これにより、アプリケーションサーバ６からユーザＢのプレゼンス情報が要求された場合でも、プレゼンス情報管理装置２は、アクセス認証を行っていないユーザＢのプレゼンス情報の提供が可能となり、ユーザＢからのプレゼンスサービスの要求に対してもアプリケーションサーバ６はサービスを提供することができる。
【００２３】
さらに、図４及び図５を用いて、具体的に本発明の実施形態について説明する。図４は、本発明の一実施形態に係るプレゼンス管理システム（図１参照）を示した図である。図１と共通する部分については同じ符号をつけて説明を省略する。図１と異なる部分は、帰属関係管理装置（図１の符号５）を帰属関係管理装置（１）５１と帰属関係管理装置（２）５２とを使用している点である。また、図４は各装置間の情報の流れを示している。図５は、図４で示した構成におけるプレゼンス管理システムのフローチャートを示した図である。
【００２４】
図４における実際の構成としては、例えば、アクセス認証装置４としてＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ）プロトコルを用いたＲＡＤＩＵＳサーバ、帰属関係管理装置５として階層化Ｍｏｂｉｌｅ  ＩＰ技術（Ｎｅｔｗｏｒｋ  Ｍｏｂｉｌｉｔｙ）のＨＡ（ＨｏｍｅＡｇｅｎｔ）、プレゼンス情報管理装置２としてプレゼンスサーバなどが使用される。Ｍｏｂｉｌｅ  ＩＰ技術を階層化して使用することにより、Ｍｏｂｉｌｅ  ＩＰに対応していない端末に対しても移動性を提供することが可能である。また、例えば、ユーザＡ及びユーザＢは、Ｍｏｂｉｌｅ  Ｒｏｕｔｅｒ機能を有する端末７Ａ，７Ｂなどを有し、ユーザＡが親端末、ユーザＢが子端末となりグループを構成している。ユーザ端末７Ａのアクセスメディアに関しては、例えば無線ＬＡＮにより、収容装置３であるアクセスポイントを介してネットワークに接続している。一方、ユーザＢのユーザ端末７Ｂに関しては、例えばＢｌｕｅｔｏｏｔｈ（Ｒ）を利用してユーザＡのユーザ端末７Ａに接続し、ユーザ端末７Ａを介してネットワークに接続する。
【００２５】
図５において、ネットワークサービスを利用するにあたって、親端末となるユーザＡのユーザ端末７Ａは、収容装置３（アクセスポイント）にアクセスして（Ｓ２１）、アクセス認証を実施する（Ｓ２２）。アクセス認証時に収容装置３からアクセス認証装置４に対して、ユーザ識別子と認証情報とＮＡＳ−Ａｄｄｒｅｓｓ、ＮＡＳ−Ｔｙｐｅなどの収容装置情報（アクセスポイント情報）が送信される（Ｓ２２）。アクセス認証装置４は、送信されたユーザ識別子とＮＡＳ−Ａｄｄｒｅｓｓ、ＮＡＳ−Ｔｙｐｅなどの収容装置情報とをプレゼンス情報管理装置２に送信する（Ｓ２３）。プレゼンス情報管理装置２のプレゼンス情報変換手段２０（図２参照）は、送信されたＮＡＳ−ＡｄｄｒｅｓｓやＮＡＳ−Ｔｙｐｅなどの収容装置情報を地理的位置情報や帯域情報などのプレゼンス情報に変換する（Ｓ２４）。地理的位置情報や帯域情報などは、ユーザ識別子で示されたユーザＡのプレゼンス情報としてプレゼンス管理テーブル４０（図４参照）に設定され（Ｓ２５）、プレゼンス管理手段２２（図２参照）で管理される。図４のプレゼンス管理テーブル４０では、例えばユーザＡのユーザ識別子４０１は「Ｕｓｅｒ１」であり、地理的位置情報４０２として「Ｌｏｃａｔｉｏｎ１」が設定される。
【００２６】
図５において、アクセス認証が完了したユーザＡのユーザ端末７Ａは、ＩＰ  ｒｅａｃｈａｂｌｉｔｙを確保するために、帰属関係管理装置（１）５１である例えばＨＡへＭｏｂｉｌｅＩＰ技術を利用してユーザＡの論理位置情報の登録を行う（Ｓ２６）。論理位置情報に含まれる情報には、ＭｏｂｉｌｅＩＰ技術における端末の気付けアドレス（Ｃａｒｅ  ｏｆ  Ａｄｄｒｅｓｓ：ＣｏＡ）、ホームアドレス（Ｈｏｍｅ  ｏｆ  Ａｄｄｒｅｓｓ：ＨｏＡ）、ユーザＡが代表となっているネットワークで利用されるアドレスプレフィックス（プレフィックス情報）がある。帰属関係管理装置（１）５１であるＨＡは、ユーザ端末７Ａから送信されたＨｏＡ、ＣｏＡ、プレフィックス情報をプレゼンス情報管理装置２へ送信する（Ｓ２７）。プレゼンス情報管理装置２は、帰属関係判定で（Ｓ２８）、ＨｏＡからユーザＡであることを識別して、ユーザＡの地理的位置情報が設定されていることを確認する。ここでユーザＡは親端末であるため、既に地理的位置情報（プレゼンス情報）が設定されている（Ｓ２５で設定済み）。このため、プレゼンス情報管理装置２は、ユーザ端末７Ａを親端末と判定し、送信されたＣｏＡやプレフィックス情報などを設定する（Ｓ２９）。これらの情報の設定について、図４を用いて説明する。
【００２７】
図４において、例えばユーザ端末７Ａの帰属関係情報４３が、端末のＣｏＡとして「ＸＸＸＸ：Ｍ」、ＨｏＡとして「ＦＦＦＦ：Ｍ」、Ｐｒｅｆｉｘ（プレフィックス情報）として「ＹＹＹＹ」である場合、プレゼンス情報管理装置２は、プレゼンス管理テーブル４０においてユーザＡのユーザ識別子４０１であるＵｓｅｒ１のＣｏＡ４０４のエリアに「ＸＸＸＸ：Ｍ」を、Ｐｒｅｆｉｘ４０５のエリアに「ＹＹＹＹ」を設定する。なお、プレゼンス管理テーブル４０の地理的位置情報４０２は既に図５のステップ２５（Ｓ２５）で設定されている。
【００２８】
ＩＰアドレスは、例えば、「１０．２０．３０．４０」というような構造になっている。これは、「１０．２０．３０」のネットワークに属している背番号４０番の端末という意味で、前記のＰｒｅｆｉｘ（プレフィックス情報）は、「１０．２０．３０」の部分を示す。親端末のＰｒｅｆｉｘが「１０．２０．３０」となっていて、子端末のアドレスが「１０．２０．３０．５０」であれば、子端末は親端末と同じネットワークに所属することがわかる。ＣｏＡは、その場で使うアドレスなので、子端末は、ＣｏＡとして親端末のＰｒｅｆｉｘ「ＹＹＹＹ」を持ったアドレス「ＹＹＹＹ：Ｍ」を持つ必要がある（図４の符号４４）。従って、両者のＰｒｅｆｉｘとＣｏＡを比較することで親子関係がわかる。
【００２９】
図５において、一方、ユーザＢのユーザ端末７ＢもＩＰ  ｒｅａｃｈａｂｌｉｔｙを確保するために、帰属関係管理装置（２）５２である例えばＨＡに論理位置情報の登録を行う（Ｓ３０）。論理位置登録情報には、ユーザＡと同様にＨｏＡ、ＣｏＡ、プレフィックス情報が含まれている。帰属関係管理装置（２）５２であるＨＡは、受け取ったＨｏＡ、ＣｏＡ、プレフィックス情報をプレゼンス情報管理装置２に送信する（Ｓ３１）。情報を受け取ったプレゼンス情報管理装置２は、ユーザＡと同様にユーザＢの地理的位置情報が設定されているか帰属関係判定で確認する（Ｓ３２）。ユーザＢは子端末であるため地理的位置情報は設定されていないことが確認される。地理的位置情報が設定されていないので、ユーザ端末７Ｂは子端末と判定され、プレゼンス情報管理装置２は、ユーザＢのＣｏＡと既に登録されているプレフィックス情報とを比較してユーザ端末７Ｂの親端末を特定する。ユーザ端末７Ｂは子端末であるので、ＣｏＡ、プレフィックス情報と共に、親端末情報を設定する（Ｓ３３）。本実施形態では、図４の帰属関係情報４４に示すようにユーザＢのユーザ端末７ＢのＣｏＡがユーザＡのユーザ端末７ＡのＰｒｅｆｉｘ「ＹＹＹＹ」を利用していることから、ユーザＢはユーザＡに帰属すると判定し、ユーザＢの親端末情報としてユーザ端末７Ａを設定する。これらの情報の設定について、再度、図４を用いて説明する。
【００３０】
再度、図４において、例えばユーザ端末７Ｂの帰属関係情報４４が、ＣｏＡとして「ＹＹＹＹ：Ｍ」、ＨｏＡとして「ＧＧＧＧ：Ｍ」、Ｐｒｅｆｉｘ（プレフィックス情報）として「ＺＺＺＺ」である場合、プレゼンス情報管理装置２は、プレゼンス管理テーブル４０においてユーザＢのユーザ識別子４０１であるＵｓｅｒ２のＣｏＡ４０４のエリアに「ＹＹＹＹ：Ｍ」を、Ｐｒｅｆｉｘ４０５のエリアに「ＺＺＺＺ」を設定するとともに、親端末４０６の情報として「Ｕｓｅｒ１」を設定する。また、図４において帰属関係管理装置（１）５１には、帰属関係情報４２がユーザ端末７Ａから送信され、帰属関係管理装置（２）５２には、Ｍｏｂｉｌｅ  ＩＰによりトンネリングされて、帰属関係管理装置（１）５１を介して、帰属関係情報４１がユーザ端末７Ｂから送信され管理される。帰属関係管理装置（１）５１と帰属関係管理装置（２）５２は、端末から送信されたこれらの情報をプレゼンス情報管理装置２に送信する。
【００３１】
これによりユーザＡとユーザＢのプレゼンス情報が設定されて、プレゼンス情報管理装置２で管理されることになる。
【００３２】
次に、アプリケーションサーバ６からユーザＢのプレゼンス情報が要求された時は（Ｓ３４）、プレゼンス情報管理装置２は、親端末として設定されているユーザＡの地理的位置情報などのプレゼンス情報をユーザＢの地理的位置情報として提供する（Ｓ３５）。
【００３３】
これにより、アプリケーションサーバ６からユーザＢのプレゼンス情報が要求された場合でも、アクセス認証を行っていないユーザＢのプレゼンス情報の提供が可能となり、ユーザＢからの要求に対してもアプリケーションサーバ６はサービスを提供することができる。
【００３４】
以上説明した本発明は、前記した実施形態に限定されることなく幅広く変形実施することができる。例えば、プレゼンス情報として地理的位置情報を示したが、前記したアクセス帯域情報やアクセスポイント周辺情報や契約者情報などをプレゼンス情報としても構わない。
【００３５】
【発明の効果】
本発明によれば、ユーザ端末がグループを構成し、ネットワークが階層化された場合でも、アクセス認証を行わない端末に対してもプレゼンス情報を取得し、プレゼンスサービスを提供できるようにしてＩＰ網などにおけるプレゼンスサービスの向上に寄与することができるなどの効果がある。
【図面の簡単な説明】
【図１】本発明の一実施形態に係る階層化ネットワークのプレゼンス管理システムの構成を示す図である。
【図２】プレゼンス情報管理装置の本実施形態に係るブロック構成を示した図である。
【図３】プレゼンス情報管理方法のフローを示した図である。
【図４】本発明の一実施形態に係るプレゼンス管理システムを示した図である。
【図５】図４で示した構成におけるプレゼンス管理システムのフローチャートを示した図である。
【符号の説明】
１・・・プレゼンス管理システム
２・・・プレゼンス情報管理装置
３・・・収容装置
４・・・アクセス認証装置
５・・・帰属関係管理装置
６・・・アプリケーションサーバ
７Ａ，７Ｂ・・ユーザ端末
８Ａ，８Ｂ・・アクセスメディア
２０・・プレゼンス情報変換手段
２１・・帰属関係判定手段
２２・・プレゼンス管理手段
４０・・プレゼンス管理テーブル
４１，４２，４３，４４・・帰属関係情報
【図１】
2004246796.tif 000003
【図２】
2004246796.tif 000004
【図３】
2004246796.tif 000005
【図４】
2004246796.tif 000006
【図５】
2004246796.tif 000007